(57)【要約】【課題】剛性のある支持部で配線・配管材を手放しで支持することができながら、異なる外径の配線・配管材のいずれをも隙間なく保持することができる配線・配管材支持具を提供する。【解決手段】支持部２は、大径の配線・配管材を隙間なくかつ揺動することなく支持し、保持部３は小径の配線・配管材と支持部２との間に形成された隙間に進入されて、当該隙間を埋め得る位置で内係合部６によって支持部２に係合される。【選択図】図１
2007231998.tif 000002
【特許請求の範囲】
【請求項１】
構造物に固定可能な固定部と、前記固定部に連結され、大径の配線・配管材を支持可能な剛性を有する支持部と、前記支持部に支持させた小径の配線・配管材を前記支持部内で保持する保持部とを備えた、少なくとも２種類の径の配線・配管材を支持可能な配線・配管材支持具であって、
前記支持部は、大径の配線・配管材を前記支持部内に配置可能な開口部を備え、
前記保持部は前記支持部の開口部の一方側から他方側へ延出形成され、前記開口部からの配線・配管材の前記支持部への配置を阻害しない位置と、小径の配線・配管材が支持された状態で、当該小径の配線・配管材と前記支持部との間に形成された隙間に進入されて、当該隙間を埋め得る位置とに変移可能とされていることを特徴とする配線・配管材支持具。
【請求項２】
保持部と支持部とに、前記保持部が小径の配線・配管材と前記支持部との間に形成された隙間に進入され当該隙間を埋める位置において、その位置を維持するべく前記保持部と前記支持部とを係合させる内係合部がそれぞれ備えられていることを特徴とする請求項１記載の配線・配管材支持具。
【請求項３】
内係合部が係合した状態で、小径の配線・配管材が前記保持部と前記支持部とに押圧されて揺動しないことを特徴とする請求項２記載の配線・配管材支持具。
【請求項４】
内係合部が係合し、小径の配線・配管材が前記保持部と前記支持部とに押圧されて揺動しない状態で、前記内係合部の係合状態も前記小径の配線・配管材に押されて維持されることを特徴とする請求項３記載の配線・配管材。
【請求項５】
支持部は、大径の配線・配管材を隙間なくかつ揺動することなく支持することを特徴とする請求項１から４のいずれか記載の配線・配管材支持具。
【請求項６】
保持部は、支持部に大径の配線・配管材が支持された状態で、前記支持部の開口部の他方側に架け渡される長さとされ、前記保持部の内側と、前記支持部の外側に、前記保持部と前記支持部とを係合させる外係合部がそれぞれ備えられていることを特徴とする請求項１から５のいずれか記載の配線・配管材支持具。
【請求項７】
支持部には、内係合部と外係合部との内の少なくともいずれか一方が複数箇所設けられていることを特徴とする請求項２から６のいずれか記載の配線・配管材支持具。
【請求項８】
保持部が支持部の開口部の一方側から、薄肉の段々状に延出形成されていることを特徴とする請求項１から７のいずれか記載の配線・配管材支持具。
【請求項９】
薄肉の段々状に延出形成された保持部は、支持部に大径の配線・配管材を保持し、前記支持部の開口部に架け渡された際には、その段々状の内側が前記大径の配線・配管材に当接することを特徴とする請求項８記載の配線・配管材支持具。
【発明の詳細な説明】
【技術分野】
【０００１】
本発明は、既設の構造物に固定され、長尺材である配線・配管材などを支持する配線・配管材支持具に関する。
【背景技術】
【０００２】
図６（ａ）は、本発明の背景技術となる配線・配管材支持具の一例の使用状態を示す外観斜視図、（ｂ）本発明の背景技術となる配線・配管材支持具の他例の使用状態を示す側面図である。
【０００３】
図６（ａ）の配線・配管材支持具２０は、特許文献１に記載されたものであり、既設の構造物である天井Ｗに固定される固定部１１と、この固定部１１に連結され、配線・配管材Ｐを支持可能な剛性を有する支持部１２とを備え、この固定部１１の天井Ｗへの固定が、これら両者の間に接着剤容器１７からの接着剤を浸透させて行われるものである。
【０００４】
この配線・配管材支持具２０は、また、支持部１２に支持された配線・配管材Ｐの抜け出しを防止し保持する保持部１６を備えている。
【０００５】
この保持部１６は、固定部１１側にその基端が連結され、その素材の弾性により、支持部１２の開口を内側から閉止するように付勢されている。
【０００６】
つまり、この保持部１６は、配線・配管材Ｐを支持部１２に入れる際には、屈曲してその進入を許可し、一旦配線・配管材Ｐが支持部１２に入って支持された状態では、配線・配管材Ｐ自身が揺動しても、支持部１２からは抜け出さないように保持するものである。
【０００７】
この配線・配管材支持具２０は、接着剤容器１７により簡易に既設の構造物に固定でき、配線・配管材Ｐを保持するものではあるが、支持部１２が剛性を有するものであるので、配線・配管材Ｐの太さに合わせて屈曲せず、配線・配管材Ｐと支持部１２との間に隙間が生じる場合があることを避けることができず、また、複数の外径を有する配線・配管材Ｐのいずれをも隙間なく支持することはできないものであった。
【０００８】
図６（ｂ）の配線・配管材支持具３０は、特許文献２に記載されたものであり、既設の構造物である吊り下げボルトＫに固定される固定部２４と、この固定部２４に連結され、配線・配管材Ｐを支持可能な支持部２２と、支持部２２の自由側の異なる位置に複数設けられた係合爪２８と、固定部２４から支持部２２の係合爪２８側に揺動可能に延び、異なる位置の係合爪２８に係合する保持部２６とを備えている。
【０００９】
支持部２２は、薄い鋼板製であって、その主要部が支持する配線・配管材Ｐに対応して屈曲する程度の屈曲性を備え、一方、係合爪２８の部分では、係合する保持部２６との係合を維持する程度の剛性を備えている。
【００１０】
係合爪２８は、支持部２２の自由側の端部に設けられた係合爪２８ａと、その端部の係合爪２８ａから離れた位置に設けられた係合爪２８ｂとを備えている。
【００１１】
このような構成で、この配線・配管材支持具３０によれば、この図に示すように配線・配管材Ｐを支持した場合には、保持部２６が端部の係合爪２８ａに係合して、配線・配管材Ｐを隙間なく支持することができ、また、より小径の配線・配管材Ｐを支持する場合にも、保持部２６が端部の係合爪２８ａより離れた位置の係合爪２８ｂに係合して、隙間が生じないようにすることができる。
【００１２】
しかしながら、この配線・配管材支持具３０では、支持部２２が屈曲性を備えているものなので、保持部２６を係合爪２８に係合させない状態では、支持部２２単独で、配線・配管材Ｐを支え持つことができず、片方の手で配線・配管材Ｐを載せたまま支持部２２をもち支えながら、保持部２６を係合爪２８に係合させる必要があり、作業性が悪く、その点での改良が望まれていた。
【特許文献１】特開平１１−２２８６２号公報（図１）
【特許文献２】実開平６−３７６７９号公報（図２）
【発明の開示】
【発明が解決しようとする課題】
【００１３】
本発明は、上記の問題を解決しようとするものであり、剛性のある支持部で配線・配管材を手放しで支持することができながら、異なる外径の配線・配管材のいずれをも隙間なく保持することができる配線・配管材支持具を提供することを目的とする。
【課題を解決するための手段】
【００１４】
請求項１記載の配線・配管材支持具は、構造物に固定可能な固定部と、前記固定部に連結され、大径の配線・配管材を支持可能な剛性を有する支持部と、前記支持部に支持させた小径の配線・配管材を前記支持部内で保持する保持部とを備えた、少なくとも２種類の径の配線・配管材を支持可能な配線・配管材支持具であって、
前記支持部は、大径の配線・配管材を前記支持部内に配置可能な開口部を備え、
前記保持部は前記支持部の開口部の一方側から他方側へ延出形成され、前記開口部からの配線・配管材の前記支持部への配置を阻害しない位置と、小径の配線・配管材が支持された状態で、当該小径の配線・配管材と前記支持部との間に形成された隙間に進入されて、当該隙間を埋め得る位置とに変移可能とされていることを特徴とする。
【００１５】
請求項２記載の配線・配管材支持具は、請求項１に従属し、保持部と支持部とに、前記保持部が小径の配線・配管材と前記支持部との間に形成された隙間に進入され当該隙間を埋める位置において、その位置を維持するべく前記保持部と前記支持部とを係合させる内係合部がそれぞれ備えられていることを特徴とする。
【００１６】
請求項３記載の配線・配管材支持具は、請求項２に従属し、内係合部が係合した状態で、小径の配線・配管材が前記保持部と前記支持部とに押圧されて揺動しないことを特徴とする。
【００１７】
請求項４記載の配線・配管材は、請求項３に従属し、内係合部が係合し、小径の配線・配管材が前記保持部と前記支持部とに押圧されて揺動しない状態で、前記内係合部の係合状態も前記小径の配線・配管材に押されて維持されることを特徴とする。
【００１８】
請求項５記載の配線・配管材支持具は、請求項１から４のいずれかに従属し、支持部は、大径の配線・配管材を隙間なくかつ揺動することなく支持することを特徴とする。
【００１９】
請求項６記載の配線・配管材支持具は、請求項１から５のいずれかに従属し、保持部は、支持部に大径の配線・配管材が支持された状態で、前記支持部の開口部の他方側に架け渡される長さとされ、前記保持部の内側と、前記支持部の外側に、前記保持部と前記支持部とを係合させる外係合部がそれぞれ備えられていることを特徴とする。
【００２０】
請求項７記載の配線・配管材支持具は、請求項２から６のいずれかに従属し、支持部には、内係合部と外係合部との内の少なくともいずれか一方が複数箇所設けられていることを特徴とする。
【００２１】
請求項８記載の配線・配管材支持具は、請求項１から７のいずれかに従属し、保持部が支持部の開口部の一方側から、薄肉の段々状に延出形成されていることを特徴とする。
【００２２】
請求項９記載の配線・配管材支持具は、請求項８に従属し、薄肉の段々状に延出形成された保持部は、支持部に大径の配線・配管材を保持し、前記支持部の開口部に架け渡された際には、その段々状の内側が前記大径の配線・配管材に当接することを特徴とする。
【発明の効果】
【００２３】
請求項１記載の配線・配管材支持具によれば、剛性のある支持部で配線・配管材を手放しで支持することができながら、保持部により小径の配線・配管材を抜け出しなく支持することができる。
【００２４】
請求項２記載の配線・配管材支持具によれば、請求項１の効果に加え、内係合部を係合させると小径の配線・配管材の場合であっても、支持部と保持部により隙間なく支持される。
【００２５】
請求項３記載の配線・配管材支持具によれば、請求項２の効果に加え、内係合部が係合した状態で、小径の配線・配管材が保持部と支持部とに押圧されて揺動しないので、小径の配線・配管材のがたつきを防止することができる。
【００２６】
請求項４記載の配線・配管材によれば、請求項３の効果に加え、内係合部の係合状態も小径の配線・配管材に押されて維持されるので、その係合状態がより確実に保持される。
【００２７】
請求項５記載の配線・配管材支持具によれば、請求項１から４のいずれかの効果に加え、支持部は、大径の配線・配管材を隙間なくかつ揺動することなく支持するので、大径の配線・配管材が支持部で支持された状態でがたつくことがなく、抜け出しもない。
【００２８】
なお、上述の請求項１、２の効果とこの請求項５効果が相まって、本発明の目的である、「剛性のある支持部で配線・配管材を手放しで支持することができながら、異なる外径の配線・配管材のいずれをも隙間なく保持することができる」という点が達成される。
【００２９】
請求項６記載の配線・配管材支持具によれば、請求項１から５のいずれかの効果に加え、保持部は、支持部に大径の配線・配管材が支持された状態で、前記支持部の開口部の他方側に架け渡される長さとされ、外係合部が備えられているので、支持部による大径の配線・配管材のがたつきのない支持・保持をより確実なものとすることができる。
【００３０】
請求項７記載の配線・配管材支持具によれば、請求項２から６のいずれかの効果に加え、支持部には、内係合部と外係合部との内の少なくともいずれか一方が複数箇所設けられているので、それぞれの複数箇所に対応して、より多くの外径を持つ配線・配管材に対応することができる。
【００３１】
請求項８記載の配線・配管材支持具によれば、請求項１から７のいずれかの効果に加え、保持部が支持部の開口部の一方側から、薄肉の段々状に延出形成されているので、保持部全体として、その段々の進行方向への伸縮性と、その進行方向に直交方向への段々による弾性を有する厚みと、全体としての可撓性、屈曲性とを確保して、上述したような保持部の作用効果を確実に発揮する。
【００３２】
請求項９記載の配線・配管材支持具によれば、請求項８の効果に加え、薄肉の段々状に延出形成された保持部は、支持部に大径の配線・配管材を保持し、前記支持部の開口部に架け渡された際には、その段々状の内側が前記大径の配線・配管材に当接するので、支持部におけるがたつきのない大径の配線・配管材の支持をより確実なものとすることができる。
【発明を実施するための最良の形態】
【００３３】
以下に、本発明の実施の形態（実施例）について、図面を用いて説明する。
【実施例１】
【００３４】
図１は、本発明の配線・配管材支持具の一例を示すもので、（ａ）はその正面図、（ｂ）はその左側面図、（ｃ）はその右側面図、（ｄ）はその上面図、（ｅ）は（ａ）のＡＡ断面図、（ｆ）は（ａ）のＢ部詳細図である。
【００３５】
この配線・配管材支持具１０は、既設の構造体であるボルト体Ｋに固定され、長尺材である配線・配管材などを支持するものであり、構造体Ｋに固定可能な固定部１と、この固定部１に連結され、大径の配線・配管材を支持可能な剛性を有する支持部２と、支持部２に支持させた小径の配線・配管材を支持部内で保持するための保持部３とを備えている。
【００３６】
なお、この図１（ａ）、（ｃ）では、支持具１０の固定部１が固定される構造体Ｋ（ボルト体）を二点鎖線の想像線で示している。
【００３７】
この配線・配管材支持具１０は、上記各部の以下のような構成により、配線・配管材を手放しで支持すると共に、小径の配線・配管材を抜け出しなく、支持することができる点を特徴としている。
【００３８】
つまり、支持部２は、大径の配線・配管材を支持部２内に配置可能な開口部５を備え、
保持部３は支持部２の開口部５の一方側（この例では固定部１との連結側）から他方側（この例では自由端側）へ延出形成されている。
【００３９】
また、この保持部３は、その屈曲性と一定の厚みにより、図２（ｂ）に示すように、開口部５からの配線・配管材Ｐの支持部２への配置を阻害しない位置と、図３（ｃ）に示すように、小径の配線・配管材ＰＳが支持された状態で、この小径の配線・配管材ＰＳと支持部２との間に形成された隙間に進入されて、当該隙間を埋め得る位置とに変移可能とされていることを特徴とする。
【００４０】
このような基本的構成を持つ配線・配管材支持具１０の各部のより具体的な構成について、以下、説明する。
【００４１】
配線・配管材支持具１０は、この例のものでは、全体が同一の合成樹脂、より具体的にはＰＯＭ（PolyOxyMethylene、ポリオキシメチレン（アセタール））で一体成形され、各部の形状を上述したその部分の有するべき機能に応じて変化させている。
【００４２】
固定部１は、厚肉矩形の平板状の基柱部１ａと、基柱部１ａの上下部分に、間に空間部分を隔てて、右勝手、左勝手にコの字状に水平方向（図１（ａ）の右方向）に延出された一対の巻き掛け部１ｂと、それぞれの巻き掛け部１ｂの内側部分であって、そこに収容される構造体Ｋに当接する内周部１ｃとを備えている。
【００４３】
支持部２は、固定部１の基柱部１ａと同じ肉厚矩形で、この基柱部１ａから下方へと円環を形成するように伸び出す受け部２ａと、この受け部２ａの外周側に設けられた補強リブ部２ｂと、後述する内係合部６を設けるために薄肉となる受け部２ａの厚さを確保するための補強肉部２ｃとを備えている。
【００４４】
このような構成の支持部２は、補強リブ部２ｂで補強された円環状の受け部２ａ（図１（ｅ）参照）で大径の配線・配管材ＰＢ（図２（ｂ）参照）を、その剛性によりしっかり支持し、人が手でこの支持部２を支える必要はない。
【００４５】
なお、補強リブ部２ｂは、受け部２ａだけで剛性が確保できる場合には、無くともよいものである。
【００４６】
保持部３は、全体として、固定部１の基柱部１ａ、支持部２の受け部２ａに比べ、厚さが３分の１程度の薄肉で構成され、また、支持部２の円環半径に比べより大きい半径の円環状となり、基柱部１ａから受け部２ａとは反対方向に直線状に延出された基部３ａと、この基部３ａに連続し、段々状に形成された段々部３ｂと、この段々部３ｂから連続し直線状の先端部３ｃとを備えている。
【００４７】
基部３ａは、図１（ｆ）に示すように、基部３ａからなだらかな円弧部分を経て延出されており、この延出部分では屈曲しにくい構成となっている。
【００４８】
一方、この延出部分から、次に連続する段々部３ｂに連結する部分までの主要部分は、薄肉の直線状となっており、この部分で、保持部３全体として、上述した二つの位置への変移を可能とする屈曲性を確保している。
【００４９】
段々部３ｂは薄肉のまままで、ちょうど、段ボール紙の中芯のような段々形状となっており、その段々の進行方向への伸縮性と、その進行方向に直交方向への段々による弾性を有する厚みと、全体としての可撓性、屈曲性とを確保している。
【００５０】
先端部３ｃは、その先端部分の外側に内係合部６を構成する外係合突起６ａと、その先端部分の内側に外係合部７を構成する内係合突起７ａとを備えている。先端部３ｃは、また、その段々部３ｂとの連結部付近に、つまり、基端側に仮止め部８を構成する仮止め突起８ａを備えている。
【００５１】
開口部５は、円環状の受け部２ａの半円から更に余分に、この受け部２ａに収容される配線・配管材Ｐの外周にそって延びる開口側の両端部分を指すものである。
【００５２】
この開口部５の自由端側の外側には補強突起２ｂはなく、その先端側から順に、仮止め部８を構成し、上記仮止め突起８ａが嵌まり込む仮止め溝８ｂと、外係合部７を構成し、上記内係合突起７ａと係合する係合凹所７ｂとが備えられている。
【００５３】
開口部５の自由端側の内側で、受け部２ａに達する部分には、内係合部６を構成し、上記外係合突起６ａに係合する係合凹所６ｂが備えられている。
【００５４】
上述した内係合部６、外係合部７、仮止め部８については、その構成と効果とを、図２、３でより詳しく説明する。
【００５５】
図２は、図１の配線・配管材支持具の使用方法の一例を説明するもので、（ａ）はその支持具を構造物に固定した状態を示す図、（ｂ）はその支持具に大径の配線・配管材を支持するため近くに位置させた状態を示す図、（ｃ）は大径の配線・配管材をその支持部に嵌め込む直前の状態を示す図、（ｄ）は大径の配線・配管材をその支持部に嵌め込み後保持部をセットした状態を示す図である。
【００５６】
これより、すでに説明した部分と同じ部分については同じ符号を伏して重複説明を省略する。また、各部分の集合体について別個の符号がある場合については、煩雑さを避けるために、集合体の符号だけを示すようにすること、個々の部分については説明に必要な部分だけ必要な符号を示すことがある。
【００５７】
本発明の配線・配管材支持具１０は、まず、既設の構造物である、コンクリート製建築物の上面から垂下したボルト体Ｋに固定する必要がある。その際は、固定部１の上下の巻き掛け部１ｂの開口側がボルト体Ｋを挟んでそれぞれボルト体に当接するようにする。
【００５８】
具体的には、図２（ａ）の上の巻き掛け部１ｂの開口側がボルト体Ｋの裏側に当接し、下の巻き掛け部１ｂがボルト体Ｋの表側に当接するように配線・配管材支持具１０を前後に傾け、それぞれの巻き掛け部１ｂ内にボルト体Ｋが収容されるようにすると、図２（ａ）の状態となる。
【００５９】
この際、巻き掛け部１ｂの内周部１ｃ（図１（ｄ）参照）は、ボルト体Ｋの外径より適度に小径となっており、巻き掛け部１ｂをその弾性力に抗してボルト体Ｋに巻き掛けた際には、巻き掛け部１ｂの弾性反発力によって、配線・配管材支持具１０は、図２（ａ）の状態でボルト体Ｋに強力に固定される。
【００６０】
次に、配線・配管材支持具１０の支持部２に嵌め込むべき大径の配線・配管材ＰＢ（Ｐ）を用意し、開口部５付近に位置させる。この際、図２（ｂ）に示すように、保持部３は、主にその基部３ａの可撓性、屈曲性により、大径の配線・配管材ＰＢを開口部５付近に位置させることが可能な程度に屈曲する。
【００６１】
更に、大径の配線・配管材ＰＢを開口部５に近接させた状態が図２（ｃ）であり、この図２（ｃ）の状態では、開口部５の開口幅より、大径の配線・配管材ＰＢの外径の方が大きいことが解る。
【００６２】
したがって、この開口部５を通過させて、図２（ｄ）に示すように支持部２内に大径の配線・配管材ＰＢが収容支持されるようにするためには、大径の配線・配管材ＰＢを一定の力で、支持部２の弾性に抗して押し込むことが必要である。
【００６３】
なお、この際、支持部２が弾性変形するのと同時に、大径の配線・配管材ＰＢも弾性変形するので、必要な力は、双方の弾性が関与した力となる。
【００６４】
その結果、一旦、図２（ｄ）の状態となった場合、例え保持部３の内側と支持部２の外側との間の外係合部７（内係合突起７ａと係合凹所７ｂ）による係合が図２（ａ）に示すように達成されていなくとも、大径の配線・配管材ＰＢは支持部２に弾性力によって強力に支持され、抜け出さないようになっている。
【００６５】
また、支持部２（受け部２ａ）の内径は、この状態で、大径の配線・配管材ＰＢを隙間なく締め付ける内径となっており、大径の配線・配管材ＰＢは支持部２の中でがたついたりしない。
【００６６】
一方、この支持部２による大径の配線・配管材ＰＢの支持、保持状態をより確実なものとする場合には、図２（ｄ）に示すように上記外係合部７（内係合突起７ａと係合凹所７ｂ）の係合がされるようにすれば良い。
【００６７】
この際、保持部３の段々部３ｂは、その内側が支持部２に収容支持された大径の配線・配管材ＰＢの外径に当接するようになっており、より確実に大径の配線・配管材ＰＢのがたつきを防止し、その抜け出しを防止し保持する。
【００６８】
また、外係合部７の内係合突起７ａと係合凹所７ｂとは、それぞれ保持部３の先端部３ｃの内側、開口部５の外側の上記のような係合を達成するような位置に設けられている。
【００６９】
更に、この際、保持部３の先端部３ｃに内側に設けられた仮止め突起８ａが、開口部５に抵触しない位置となっている点にも留意されたい。
【００７０】
図３は、図１の配線・配管材支持具の使用方法の他例を説明するもので、（ａ）は小径の配線・配管材をその支持部に嵌め込む直前の状態を示す図、（ｂ）は小径の配線・配管材をその支持部に嵌め込み後保持部で仮止めした状態を示す図、（ｃ）は保持部を支持部の内側に進入させた状態を示す図、（ｄ）は保持部を更に内進入させて支持部にセットした状態を示す図である。
【００７１】
この場合も、まず、図２（ａ）で説明した通り、配線・配管材支持具１０をボルト体Ｋに固定しておき、ついで、図３（ａ）に示すように、小径の配線・配管材ＰＳを配線・配管材支持具１０の開口部５付近に位置させる。
【００７２】
この際、小径の配線・配管材ＰＳの外径は、配線・配管材支持具１０の開口部５の開口幅より小さいので、小径の配線・配管材ＰＳは、この状態から抵抗を受けることなく容易に、図３（ｂ）に示すように支持部２内に収容される。
【００７３】
この図３（ｂ）の状態では、図から解るように、支持部２内で小径の配線・配管材ＰＳの周りには隙間があり、小径の配線・配管材ＰＳは支持部２内で動くことが可能である。
【００７４】
しかしながら、この際、図３（ｂ）に示すように、保持部３が開口部を覆う状態で、仮止め部８を構成する保持部３の仮止め突起８ａと支持部２の仮止め溝８ｂとが係合して、その状態が維持され、小径の配線・配管材ＰＳが支持部２から抜け出すのを防止することができる。
【００７５】
なお、仮止め部８の仮止め突起８ａと仮止め溝８ｂとは、それぞれ、保持部３の先端部３ｃの内側と、開口部５の先端部分の外側との、上記のような係合を達成するような位置に設けられている。
【００７６】
続いて、仮止め部８による仮止めを解除して、保持部３の先端部３ｃを、支持部２の自由端側の開口部５と収容された小径の配線・配管材ＰＳとの間の隙間に進入させて手を放すと、図３（ｃ）のような状態となる。
【００７７】
この図３（ｃ）の状態では、保持部３の先端部３ｃは、保持部３全体の弾性力によって開口部５の自由端側の内側に当接し、この状態を保持しようとするので、続く図３（ｄ）のように、内係合部６の係合をさせなくとも、支持部２と保持部３に囲まれた小径の配線・配管材ＰＳは、抜け出すことがない。
【００７８】
また、この図３（ｃ）の状態では、図３（ｂ）の状態に比べれば、支持部２、保持部３と小径の配線・配管材ＰＳとの間の隙間はより小さくなっているが、まだ、隙間は残存しており、小径の配線・配管材ＰＳはまだ動くことが可能な状態である。
【００７９】
ただ、この図３（ｃ）の状態でも、配線・配管材Ｐの外径が、小径のものＰＳよりは大きく、大径のものＰＢよりは小さい場合、ちょうど、隙間なく、支持されることが可能な場合がある。
【００８０】
つまり、支持する配線・配管材Ｐの外径によっては、この配線・配管材支持具１０は、この状態で、その配線・配管材Ｐを隙間なく、支持し保持することができる場合がある。
【００８１】
さて、更に、保持部３の先端部３ｃを進入させると、保持部３の外係合突起６ａと支持部２の係合凹所６ｂとで構成される内係合部６が係合し、図３（ｄ）の状態となる。
【００８２】
この図３（ｄ）の状態では、小径の配線・配管材ＰＳは、保持部３の段々部３ｂと支持部２の受け部２ａとに当接して支持、保持されており、この部分では隙間がなく、がたつくことがない。
【００８３】
また、内係合部６の外係合突起６ａと係合凹所６ｂとは、それぞれ保持部３の先端部３ｃの外側、開口部５（支持部２）の内側の上記のような係合を達成するような位置に設けられている。
【００８４】
図４は、図１の配線・配管材支持具の使用方法の他例を説明するもので、（ａ）はその支持具で支持されるべき二連タイプの配線・配管材を示す図、（ｂ）は（ａ）の二連タイプの配線・配管材をその支持部で支持後保持部で仮止めした状態を示す図、（ｃ）は多数本の配線・配管材を支持した状態を示す図、（ｂ）は（ｃ）と同様の配線・配管材をより多数本支持した状態を示す図である。
【００８５】
図４（ａ）の二連タイプの配線・配管材ＰＷは、冷暖房機の冷媒配管ＰＯの被覆管として用いられるものであって発泡性材料を素材とし、柔軟性のあるものである。
【００８６】
本発明の配線・配管材支持具１０によれば、図４（ｂ）に示すように、このような二連タイプの配線・配管材ＰＷについても、仮止め部８（保持部３の仮止め突起８ａと支持部２の仮止め溝８ｂ）によって、抜け止め支持が可能である。
【００８７】
また、本発明の配線・配管材支持具１０は、図４（ｃ）、（ｄ）に示すように、多数本用いられる配線・配管材Ｐ′の支持にも用いることでき、その場合にも、保持部３と外係合部７により、図４（ｃ）に示すように、より多数本、この例では、７本の配線・配管材Ｐ′を隙間、がたつき無く支持することができる。
【００８８】
一方、より小数本、この例では、４本の配線・配管材Ｐ′を、図４（ｄ）に示すように、保持部３と内係合部６により、隙間、がたつき無く支持することができ、結果、多数本の配線・配管材Ｐ′を支持する場合にも、全体を纏めた状態の大径、小径に対応することができる。
【００８９】
つまり、本発明の配線・配管材支持具１０は、多種の径の配線・配管材Ｐへの対応性が良い、また、多数本用いる場合の配線・配管材Ｐ′への対応性も良い、ということが言える。
【実施例２】
【００９０】
図５は、本発明の配線・配管材支持具の他例の使用方法を説明するもので、（ａ）は、その他例の支持具で支持されるべき二連タイプの配線・配管材を示す図、（ｂ）は（ａ）の二連タイプの配線・配管材をその支持部で支持した状態を示す図、（ｃ）はその他例
の支持具で支持されるべき二連タイプの配線・配管材の他例を示す図、（ｄ）は（ｃ）の二連タイプの配線・配管材をその支持部で支持した状態を示す図である。
【００９１】
図５（ｂ）、（ｄ）に示す配線・配管材支持具１０Ａは、図１の配線・配管材支持具１０に比べ、支持部２Ａが、より扁平あるいは縦長の、例えば、図５（ａ）に示すような二連タイプの配線・配管材ＰＷを支持するために好適なように、より扁平あるいは縦長のＵ字状あるいは楕円状となっている点が異なっている。保持部３Ａもまた、この支持部２Ａに対応したものとなっている。
【００９２】
つまり、本発明の支持具は、図１の配線・配管材支持具１０のような支持部２、保持部３が円形に対応したものだけでなく、支持対象に併せて種々の形状とすることができるものである。
【００９３】
一方、内係合部６、外係合部７は、この例では、図１の配線・配管材支持具１０と共通のものとなっているが、支持及び保持の状況に合わせて、適合したものとしてもよい。
【００９４】
図５（ａ）の二連タイプの配線・配管材ＰＷは、図４（ａ）のものと同じものであるが、図５（ｂ）を見ると、図４（ｂ）に比べ、この図の配線・配管材支持具１０Ａを用いることで、同じ二連タイプの配線・配管材ＰＷを、よりしっかりと係合する外係合部７での係合と保持部３Ａとにより配線・配管材ＰＷをよりがっしりと隙間無く、がたつき無く支持することができているのが解る。
【００９５】
また、より扁平のこの配線・配管材支持具１０Ａにおいても、図５（ｃ）に示すより小径の二連タイプの配線・配管材ＰＷ′（内部に、より小径の冷媒配管ＰＯ′を貫通可能。）を内係合部６と保持部３Ａとによって、図５（ｄ）に示すように、しっかりと隙間なく、がたつき無く支持することができる。
【００９６】
つまり、このような配線・配管材支持具１０Ａによれば、大径小径と径の異なる、円形形状でない配線・配管材をそれぞれ隙間なく、がたつき無く支持することができる。
【００９７】
以上、説明した所より、本発明の配線・配管材支持具は、以下のような構成、作用効果を持っている。
【００９８】
（１）この配線・配管材支持具１０は、支持部２は剛性のある構造とされ、一方、保持部３は、基部３ａと段々部３ｂとにより、屈曲性と一定の厚みを備え、図２（ｂ）に示すように、開口部５からの配線・配管材Ｐの支持部２への配置を阻害しない位置と、図３（ｃ）と（ｄ）に示すように、小径の配線・配管材ＰＳが支持された状態で、この小径の配線・配管材ＰＳと支持部２との間に形成された隙間に進入されて、当該隙間を埋め得る位置とに変移可能とされている。
【００９９】
したがって、この配線・配管材支持具１０によれば、配線・配管材Ｐは、剛性のある支持部２で受け止められるので、作業者は手放しで、続くべき、保持部３の係合操作などを行うことができる。
【０１００】
また、大径の配線・配管材ＰＢについては、保持部３が大きく開いて支持部２への配置に支障がなく、支持部２で支持され、小径の配線・配管材ＰＳについては、支持部２と小径の配線・配管材ＰＳとの間の隙間に進入して、この隙間を埋める状態を保持するので、小径の配線・配管材ＰＳの抜け出しが防止される。
【０１０１】
つまり、この配線・配管材支持具１０によれば、剛性のある支持部で配線・配管材を手放しで支持することができながら、小径の配線・配管材を抜け出しなく支持することができる。
【０１０２】
なお、本発明の配線・配管材支持具の基本的な技術的思想は、支持部を剛性のあるものとしながら、保持部を一定の厚みと屈曲性のあるものとして、大径の配線・配管材については、保持部がその進入を邪魔しないようにして支持部で支持可能とし、一方、小径の配線・配管材の際に生じる隙間については、保持部を進入させることで、その隙間を埋めるという点にあり、これにより剛性のある支持部を備えながら、異なる径の配線・配管材への対応を可能とし、また、以下の種々の発明展開の基礎を成している。
【０１０３】
（２）この配線・配管材支持具１０によれば、保持部３と支持部２とに、保持部３が小径の配線・配管材ＰＳと支持部２との間に形成された隙間に進入され当該隙間を埋める位置において、その位置を維持するべく保持部３と支持部２とを係合させる内係合部６（保持部３の外係合突起６ａと支持部２の係合凹所６ｂ）がそれぞれ備えられているので、この内係合部６を係合させると小径の配線・配管材ＰＳの場合であっても、支持部２と保持部３により隙間なく支持される（図３（ｄ））。
【０１０４】
（３）この配線・配管材支持具１０によれば、内係合部６が係合した状態で、小径の配線・配管材ＰＳが保持部３と支持部２とに押圧されて揺動しないので（図３（ｄ））、小径の配線・配管材ＰＳのがたつきを防止することができる。
【０１０５】
（４）この配線・配管材支持具１０によれば、内係合部６が係合し、小径の配線・配管材ＰＳが保持部３と支持部２とに押圧されて揺動しない状態で、内係合部６（保持部３の外係合突起６ａと支持部２の係合凹所６ｂ）の係合状態も小径の配線・配管材ＰＳに押されて維持されるので（図３（ｄ））、その係合状態がより確実に保持される。
【０１０６】
（５）この配線・配管材支持具１０によれば、支持部２は、大径の配線・配管材ＰＢを隙間なくかつ揺動することなく支持するので（図２（ｄ））、大径の配線・配管材ＰＢが支持部２で支持された状態でがたつくことがなく、抜け出しもない。
【０１０７】
なお、上述の（１）、（２）の作用効果とこの（５）の作用効果が相まって、本発明の目的である、「剛性のある支持部で配線・配管材を手放しで支持することができながら、異なる外径の配線・配管材のいずれをも隙間なく保持することができる」という点が達成される。
【０１０８】
（６）この配線・配管材支持具１０によれば、保持部３は、支持部２に大径の配線・配管材ＰＢが支持された状態で、支持部２の開口部５の他方側に架け渡される長さとされ、保持部３の内側と、支持部２の外側に、保持部３と支持部２とを係合させる外係合部７（保持部３側の内係合突起７ａと、支持部２側の係合凹所７ｂ）がそれぞれ備えられているので（図２（ｄ））、支持部２による大径の配線・配管材ＰＢのがたつきのない支持・保持をより強固なものとすることができる。
【０１０９】
（７）この配線・配管材支持具１０については、支持部２には、内係合部６（係合凹所６ｂ）と外係合部７（係合凹所７ｂ）との内の少なくともいずれか一方を複数箇所設けること、つまり、係合凹所６ｂを複数箇所設けるか、係合凹所７ｂを複数箇所設けるか、係合凹所６ｂと係合凹所７ｂとの双方をそれぞれ複数箇所設けるかを選択的に採用することができ、その場合、それぞれの複数箇所に対応して、より多くの外径を持つ配線・配管材Ｐに対応することができる。
【０１１０】
（８）この配線・配管材支持具１０によれば、配線・配管材支持具１０を同一素材で生成しながら、保持部３が支持部２の開口部５の一方側から、薄肉の段々状に延出形成されていること、つまり、段々部３ｂを備えているので（図１（ａ））、その基部３ａと相まって、保持部３全体として、その段々の進行方向への伸縮性と、その進行方向に直交方向への段々による弾性を有する厚みと、全体としての可撓性、屈曲性とを確保して、上述したような保持部３の作用効果を確実に発揮する。
【０１１１】
（９）この配線・配管材支持具１０によれば、薄肉の段々状に延出形成された、つまり、段々部３ｂを備えている保持部３は、支持部２に大径の配線・配管材ＰＢを保持し、支持部２の開口部５に架け渡された際には、その段々状（段々部３ｂ）の内側が大径の配線・配管材ＰＢに当接するので（図２（ｄ））、支持部２におけるがたつきのない大径の配線・配管材ＰＢの支持をより確実なものとすることができる。
【０１１２】
（１０）この配線・配管材支持具１０によれば、保持部３の仮止め突起８ａと支持部２の仮止め溝８ｂとから構成される仮止め部８を備えているので、図３（ｂ）で説明したように、簡易に支持部２に収容支持された小径の配線・配管材ＰＳの抜け出しを防止することができる。
【０１１３】
（１１）内係合部６（外係合突起６ａと内係合凹所６ｂ）、外係合部７（内係合突起７ａと外係合凹所７ｂ）とは、図１（ａ）、（ｂ）などから解るように、それぞれ、支持部２、保持部３の幅中心部分で僅かに段違いの二段構造となっており、これらの係合がなされた状態では、支持部２と保持部３との間にその幅方向に相互に移動させる力が働いても、その段違い部分が当接してこの係合が外れない。
【０１１４】
つまり、このような段違いの二段構造の内係合部６、外係合部７を備えた配線・配管材支持具１０によれば、これらの係合がなされた状態では、支持部２と保持部３との間にその幅方向に相互に移動させる力が働いても、この係合が外れないという効果を発揮する。
【０１１５】
（１２）本発明の配線・配管材支持具の支持対象とする配線・配管材は、一本のものに限られず、二本、三本などの結合体で全体としての外径が異なるもの、また、多数本（それぞれの外径が同一でも異なっていても良い。）が集束され、その本数によって全体としての外径が異なるものにも対応可能である。
【０１１６】
（１３）本発明の配線・配管材支持具は、その支持部の形状が、支持対象とする配線・配管材の形状に対応して、円形形状でなく、楕円形状、Ｕ字形状やその他の形状であってもよく、その場合にも、外径が異なる少なくとも２種類以上の配線・配管材を隙間無く、がたつき無く支持することができる。
【０１１７】
なお、上記では、本発明の二つの実施例について説明したが、本発明の配線・配管材支持具の技術的範囲には、これらの実施例のものに限定されず、上述した種々の変形例や、それらの組み合わせ、及び、上述した技術的思想を中核として含むものが含まれるものである。
【０１１８】
また、配線・配管材支持具１０の素材は、上記のものに限定されず、上記に説明したような形状とでき、剛性、弾性を確保できるものであれば、他の合成樹脂や金属、軽合金などであってもよい。また、部分的に材質、素材を異なるものとしてもよい。特に、支持部と保持部を異なる好適な素材で製造し、保持部がその基部において、支持部に嵌め込まれ、あるいは取り付けられる様にしたものであってもよい。
【産業上の利用可能性】
【０１１９】
本発明の配線・配管材支持具は、剛性のある支持部で配線・配管材を手放しで支持することができながら、異なる外径の配線・配管材のいずれをも隙間なく保持することができることが要請される産業上の分野に用いることができる。
【図面の簡単な説明】
【０１２０】
【図１】本発明の配線・配管材支持具の一例を示すもので、（ａ）はその正面図、（ｂ）はその左側面図、（ｃ）はその右側面図、（ｄ）はその上面図、（ｅ）は（ａ）のＡＡ断面図、（ｆ）は（ａ）のＢ部詳細図
【図２】図１の配線・配管材支持具の使用方法の一例を説明するもので、（ａ）はその支持具を構造物に固定した状態を示す図、（ｂ）はその支持具に大径の配線・配管材を支持するため近くに位置させた状態を示す図、（ｃ）は大径の配線・配管材をその支持部に嵌め込む直前の状態を示す図、（ｄ）は大径の配線・配管材をその支持部に嵌め込み後保持部をセットした状態を示す図
【図３】図１の配線・配管材支持具の使用方法の他例を説明するもので、（ａ）は小径の配線・配管材をその支持部に嵌め込む直前の状態を示す図、（ｂ）は小径の配線・配管材をその支持部に嵌め込み後保持部で仮止めした状態を示す図、（ｃ）は保持部を支持部の内側に進入させた状態を示す図、（ｄ）は保持部を更に内進入させて支持部にセットした状態を示す図
【図４】図１の配線・配管材支持具の使用方法の他例を説明するもので、（ａ）はその支持具で支持されるべき二連タイプの配線・配管材を示す図、（ｂ）は（ａ）の二連タイプの配線・配管材をその支持部で支持後保持部で仮止めした状態を示す図、（ｃ）は多数本の配線・配管材を支持した状態を示す図、（ｂ）は（ｃ）と同様の配線・配管材をより多数本支持した状態を示す図
【図５】本発明の配線・配管材支持具の他例の使用方法を説明するもので、（ａ）は、その他例の支持具で支持されるべき二連タイプの配線・配管材を示す図、（ｂ）は（ａ）の二連タイプの配線・配管材をその支持部で支持した状態を示す図、  （ｃ）はその他例の支持具で支持されるべき二連タイプの配線・配管材の他例を示す図、（ｄ）は（ｃ）の二連タイプの配線・配管材をその支持部で支持した状態を示す図
【図６】（ａ）は、本発明の背景技術となる配線・配管材支持具の一例の使用状態を示す外観斜視図、（ｂ）本発明の背景技術となる配線・配管材支持具の他例の使用状態を示す側面図
【符号の説明】
【０１２１】
１          固定部
２、２Ａ    支持部
３、３Ａ    保持部
５          開口部
６          内係合部
７          外係合部
８          仮止め部
１０          配線・配管材支持具
１０Ａ        配線・配管材支持具
Ｋ          構造物
Ｐ          配線・配管材
ＰＢ        大径の配線・配管材
ＰＳ        小径の配線・配管材
ＰＷ        二連タイプの配線・配管材
Ｐ′        他数本用いられる配線・配管材
【図１】
2007231998.tif 000003
【図２】
2007231998.tif 000004
【図３】
2007231998.tif 000005
【図４】
2007231998.tif 000006
【図５】
2007231998.tif 000007
【図６】
2007231998.tif 000008